(57)【特許請求の範囲】
【請求項１】
シート状生地を引き出して延反する延反機であって、
一対のローラ間で前記シート状生地を挟み込むと共に前記ローラを回転させることによって前記シート状生地を引き出す移送手段と、
引き出される前記シート状生地を傾斜面上に摺接させながら上方側へと案内する傾斜板と、
前記傾斜板上の前記シート状生地に向けてガスを噴射するガス噴射装置とを備え、
前記一対のローラを挟んだ両側に、前記シート状生地に向けてガスを噴射するガス噴射装置を更に備えるように構成される延反機。
【請求項２】
前記傾斜面は、平滑面である請求項１に記載の延反機。
【請求項３】
前記傾斜板上の前記シート状生地に向けてガスを噴射する前記ガス噴射装置は、前記シート状生地に対するガス噴射角度を変更可能に構成されている請求項１又は２に記載の延反機。
【請求項４】
前記傾斜板上の前記シート状生地に向けてガスを噴射する前記ガス噴射装置は、前記傾斜板の上端部近傍の前記シート状生地に向けてガスを噴射することを特徴とする請求項１から３のいずれかに記載の延反機。
【請求項５】
前記傾斜板上の前記シート状生地に向けてガスを噴射する前記ガス噴射装置は、前記シート状生地の幅方向に沿って位置変更可能に構成されている請求項１から４のいずれかに記載の延反機。
【請求項６】
前記傾斜板上の前記シート状生地に向けてガスを噴射する前記ガス噴射装置を複数備えており、一のガス噴射装置が、前記シート状生地の一方の側縁側に流れるガスの流れを形成すると共に、他のガス噴射装置が、前記シート状生地の他方の側縁側に流れるガスの流れを形成するように構成される請求項１から５のいずれかに記載の延反機。
【発明の詳細な説明】
【技術分野】
【０００１】
本発明は、延反機に関する。特に皴取り機能を有する延反機に関する。
【背景技術】
【０００２】
従来、衣服用の編物生地やレザーシート等のシート状生地をロール状に巻回した原反から引き出して延反する延反機が知られている（例えば、特許文献１）。このような延反機としては、例えば、図８に示すように、ロール状の原反Ｚを支持した本体１０１の近傍に、一対のローラ１０２，１０２を設け、各ローラ１０２で原反Ｚから引き出されたシート状生地Ｚ１を挟み込み、ローラ１０２を回転させることにより、シート状生地Ｚ１を引き出すようにしたものや、或いは、図９に示すように、延反機本体１０５の所定個所に、ロール状の原反Ｚから引き出されたシート状生地Ｚ１の弛みを検出するセンサー１０６，１０６を設け、このセンサー１０６，１０６からの信号に基づいてロール状の原反Ｚの軸Ｚ２をモータ（図示せず）などで駆動し、常に一定の状態で生地Ｚ１がロール状の原反Ｚから引き出されるようにしたものが知られている。
【先行技術文献】
【特許文献】
【０００３】
【特許文献１】特開平１１−２０８９８７号公報
【発明の概要】
【発明が解決しようとする課題】
【０００４】
しかしながら、上述の延反機においては、シート状生地に皴が残ったまま延反される場合があった。このように延反されたシート状生地に皴が残っていると、裁断装置等によって所望のパターンで裁断しようとした際に、裁断ミスとなり不良品を生じる。このような事態を回避するため、裁断装置を操作する者は、シート状生地の状態を常に確認し、皴が残っているような場合には、その皴を延ばす作業を行わねばならず、効率良く迅速に裁断することが困難であるという問題があった。
【０００５】
本発明は、かかる問題を解決するためになされたものであって、効率良く皴取りを行いながらシート状生地を延反することができる延反機を提供することを目的とする。
【課題を解決するための手段】
【０００６】
本発明の上記目的は、シート状生地を引き出して延反する延反機であって、一対のローラ間で前記シート状生地を挟み込むと共に前記ローラを回転させることによって前記シート状生地を引き出す移送手段と、引き出される前記シート状生地を傾斜面上に摺接させながら上方側へと案内する傾斜板と、前記傾斜板上の前記シート状生地に向けてガスを噴射するガス噴射装置とを備え、前記一対のローラを挟んだ両側に、前記シート状生地に向けてガスを噴射するガス噴射装置を更に備えるように構成される延反機により達成される。
【０００７】
このような構成の延反機においては、シート状生地は、傾斜板上を垂れ下がった状態となっているため、傾斜板上において、下方側に引き延ばそうとする重力作用を受けることとなる。また、シート状生地は、傾斜板上を摺接しながら移動するため、傾斜板との間で、引き出し方向に沿う方向の摩擦抵抗を受けることとなる。これら重力の作用と摩擦抵抗の作用によって、シート状生地の幅方向に沿う向きに生じる波打ち状の皴や弛み皴等を引き延ばして除去することが可能となる。また、ガス噴射装置によってシート状生地に吹き付けられたガスは、シート状生地に衝突した後、該シート状生地の表面に沿って両側縁側（幅方向側）に流れることとなる。このガスの流れ（風圧）によって、シート状生地は両側縁側（幅方向側）に押し延ばされて、シート状生地の引き出し方向に沿う向きに生じる皴を除去することが可能となる。また、一対のローラ間で前記シート状生地を挟み込むと共に前記ローラを回転させることによって前記シート状生地を引き出す移送手段を備えており、前記一対のローラを挟んだ両側に、前記シート状生地に向けてガスを噴射するガス噴射装置を更に備えるように構成されていることから、一対のローラによるシート状生地の挟み込みに起因する皴が、シート状生地に発生することを効果的に抑制することができる。
【０００８】
この延反機において、前記傾斜面は、平滑面であることが好ましい。このように傾斜面を平滑面となるように構成することにより、ガス噴射装置から吹き付けられるガスの流れによって押し延ばされるシート状生地を、円滑に両側縁側（幅方向側）に移動させて押し延ばすことが可能となり、シート状生地の引き出し方向に沿う向きに生じる皴をより一層効率的に除去することが可能となる。
【０００９】
また、シート状生地が、例えば、衣服用の編物生地のように、一方面側から他方面側に向けてガスが流通可能な生地であるような場合には、シート状生地に吹き付けられたガスの一部は、シート状生地を通過して、傾斜面とシート状生地との対向面間に進入し、シート状生地の両側縁側（幅方向側）に向けて流れることとなり、シート状生地の両側縁側（幅方向側）に向けて流れるガスの流れをシート状生地の両面側に形成されることとなる。傾斜面を平滑面となるように構成することにより、傾斜面とシート状生地との対向面間を流れるガスの流れを、渦などの乱れが少ない状態に形成することができるため、シート状生地を両側縁側（幅方向側）に迅速に且つ綺麗に押し延ばして、シート状生地の引き出し方向に沿う向きに生じる皴を除去することが可能となる。
【００１０】
また、前記傾斜板上の前記シート状生地に向けてガスを噴射する前記ガス噴射装置は、前記傾斜板の上端部近傍の前記シート状生地に向けてガスを噴射することが好ましい。ガス噴射装置によるガス噴射位置をこのように設定した場合、傾斜板上において下方側に引き延ばそうとする重力作用等を受けて皴の度合いが緩和されたシート状生地に対してガスを噴射できることとなり、噴射されるガス流量を少なく設定したとしても、皴を効率良く除去することが可能となる。
【００１１】
また、前記傾斜板上の前記シート状生地に向けてガスを噴射する前記ガス噴射装置は、前記傾斜板の上端部近傍の前記シート状生地に向けてガスを噴射することが好ましい。ガス噴射装置によるガス噴射位置をこのように設定した場合、傾斜板上において下方側に引き延ばそうとする重力作用等を受けて皴の度合いが緩和されたシート状生地に対してガスを噴射できることとなり、噴射されるガス流量を少なく設定したとしても、皴を効率良く除去することが可能となる。
【００１２】
また、前記傾斜板上の前記シート状生地に向けてガスを噴射する前記ガス噴射装置は、前記シート状生地の幅方向に沿って位置変更可能に構成されていることが好ましい。このようにガス噴射装置を、シート状生地の幅方向に沿ってスライド可能とすることにより、シート状生地に対するガス噴射位置を適宜変更することが可能となり、皴が多く発生している箇所に対して集中的にガスを吹き付けて、皴を効率良く除去することが可能となる。また、延反されるシート状生地が変更され、その幅寸法が異なるものとなった場合であっても、皴除去を効果的に行うことができる位置にガス噴射装置を設置することが可能となる。
【００１３】
また、前記傾斜板上の前記シート状生地に向けてガスを噴射する前記ガス噴射装置を複数備えており、一のガス噴射装置が、前記シート状生地の一方の側縁側に流れるガスの流れを形成すると共に、他のガス噴射装置が、前記シート状生地の他方の側縁側に流れるガスの流れを形成するように構成されることが好ましい。このようにガス噴射装置を複数備えることにより、シート状生地を両側縁側（幅方向側）に効率良く押し延ばすことが可能となり、皴除去を迅速に行うことが可能となる。
【発明の効果】
【００１５】
本発明によれば、効率良く皴取りを行いながらシート状生地を延反することができる延反機を提供することができる。
【図面の簡単な説明】
【００１６】
【図１】本発明の一実施形態に係る延反機を示す概略構成側面図である。
【図２】図１の矢視Ａ方向から見た延反機の概略平面図である。
【図３】図１の矢視Ｂ方向から見た延反機を構成する傾斜板の概略構成正面図である。
【図４】本発明に係る延反機の変形例を示す概略構成側面図である。
【図５】図４の矢視Ｃ方向から見た延反機を構成する傾斜板の概略構成正面図である。
【図６】本発明に係る延反機の変形例を示す概略構成側面図である。
【図７】本発明に係る延反機の変形例を示す概略構成側面図である。
【図８】従来の延反機を示す概略構成図である。
【図９】他の従来の延反機を示す概略構成図である。
【発明を実施するための形態】
【００１７】
以下、本発明の実施形態にかかる延反機について添付図面を参照して説明する。図１は、本発明の実施形態にかかる延反機１の概略構成側面図であり、図２は、図１の矢視Ａ方向から見た概略平面図である。また、図３は、図１の矢視Ｂ方向から見た延反機１を構成する傾斜板３の概略構成正面図である。本発明に係る延反機１は、例えば、シート状生地Ｚ１をロール状の原反Ｚの状態から引き出して延反する装置であって、図１から図３に示すように、原反保持手段２と、傾斜板３と、ガス噴射装置４と、速度・張力調整装置５と、フィードロール装置６と、延反台７とを備えている。ここで、延反機１によって延反されるシート状生地Ｚ１は、種々の生地を例示することができる。例えば、衣服用の編物生地や、レザーシート等を挙げることができる。
【００１８】
原反保持手段２は、ロール状の原反Ｚをその軸心周りに回転自在に保持する機能を有する手段である。この原反保持手段２の構成としては、種々の構成を採用することができる。例えば、ロール状の原反Ｚが、軸部材の周りにシート状生地Ｚ１が巻回されているような形態を有する場合には、図１及び図２に示すように、軸部材Ｚ２の両端部を回転自在に支持する支持部２１を備えるように構成することができる。また、中心に軸部材Ｚ２を備えていないロール状の原反Ｚの場合には、例えば、複数のローラ部材を半円弧上に配し、この上にロール状の原反Ｚを載置するようにして、ロール状の原反Ｚが回転自在となるように、或いは、帯状の２本のベルトをＶ字状に配し、この上にロール状の原反Ｚを載置して、ロール状の原反Ｚが回転自在となるように構成することもできる。なお、本発明に係る延反機１は、シート状生地Ｚ１をロール状の形態に構成したものの他、ロール状から解反されて所定幅で折り返されて重ねられた形態のものに対しても適用可能であり、このような形態のシート状生地Ｚ１を延反する場合、例えば、所定幅で折り返されて重ねられたシート状生地Ｚ１の原反を平置き可能な載置台により原反保持手段２を構成する。
【００１９】
傾斜板３は、ロール状の原反Ｚから引き出されるシート状生地Ｚ１をその傾斜面３１上に摺接させながら上方側へと案内するプレート体である。この傾斜板３は、その幅方向が、ロール状の原反Ｚから引き出されるシート状生地Ｚ１の幅方向と平行となるように設置されている。傾斜板３の幅寸法は、シート状生地Ｚ１の幅寸法よりも大きくなるように形成されており、傾斜板３の傾斜面３１は、滑らかな平滑面となるように形成されている。なお、傾斜板３は、傾斜角度θを適宜変更できるように構成してもよい。
【００２０】
ガス噴射装置４は、傾斜板３上のシート状生地Ｚ１に向けてガスを噴射する装置であり、先端からガスを噴射する噴射ノズル４１を備えている。噴射ノズル４１は、接続配管を介してガス供給装置（共に図示せず）に接続されている。このガス噴射装置４から噴射されたガスは、傾斜板３上のシート状生地Ｚ１に衝突した後、シート状生地Ｚ１の表面に沿って、シート状生地Ｚ１の側縁側に向けて流れることとなる。ガス噴射装置４が噴射するガスとしては、例えば、圧縮空気や圧縮窒素ガス等を挙げることができる。また、ガス噴射装置４は、傾斜板３上を摺動するシート状生地Ｚ１に対するガスの吹き出し角度を適宜変更できるように構成されている。
【００２１】
本実施形態においては、図２及び図３に示すように、複数のガス噴射装置４（２つのガス噴射装置４）を設けるように構成しており、各ガス噴射装置４は、シート状生地Ｚ１の幅方向に沿う方向に並べて、図示しない固定具に設置されて配置されている。一のガス噴射装置４は、シート状生地Ｚ１に衝突したガスが、シート状生地Ｚ１の一方の側縁側Ｚ１ａに流れるガス流を形成するように配置されている。他のガス噴射装置４は、シート状生地Ｚ１に衝突したガスが、シート状生地Ｚ１の他方の側縁側Ｚ１ｂに流れるガス流を形成するように配置されている。具体的には、各ガス噴射装置４が有する噴射ノズル４１の各先端を、傾斜板３上のシート状生地Ｚ１に向けつつ、各噴射ノズル４１の軸線を所定の方向に傾けるようにして配置している。
【００２２】
また、各ガス噴射装置４は、図３の矢印で示すように、シート状生地Ｚ１に衝突したガスが、シート状生地Ｚ１の進行方向（引き出し方向）とは逆向きに流れつつシート状生地Ｚ１の側縁側Ｚ１ａ，Ｚ１ｂに向かって流れるように設置されている。また、傾斜板３の上端部３ａ近傍のシート状生地Ｚ１に向けてガスを噴射するように各ガス噴射装置４は設置されている。
【００２３】
速度・張力調整装置５は、傾斜板３とフィードロール装置６との間に配置されており、シート状生地Ｚ１に対して一定の張力を加えるように制御するために設けられる装置である。具体的には、フィードロール装置６によって引き出されるシート状生地Ｚ１の張力が一定になるように制御している。
【００２４】
フィードロール装置６は、一対のローラ６１，６１でシート状生地Ｚ１を挟み込み、ローラ６１を回転させることによってシート状生地Ｚ１を延反台７へと導くための移送手段であり、速度・張力調整装置５と延反台７との間に配置されている。
【００２５】
延反台７は、引き出されたシート状生地Ｚ１を広げた状態で載置するための台であり、本実施形態においては搬送コンベア７１により構成している。この搬送コンベア７１は、無端状の搬送面上に載置されるシート状生地Ｚ１を一端部７１ａ側から他端部７１ｂ側に搬送可能に構成されており、図１に示すように、搬送コンベア７１の一端部７１ａ及び他端部７１ｂを構成する一対のプーリ７２，７２と、当該一対のプーリ７２，７２に巻回される無端状の搬送ベルト７３と、図示しない駆動部とを備えている。搬送ベルト７３は、シート状生地Ｚ１を広げた状態で載置可能な大きさに構成されている。駆動部はプーリ７２，７２を回転させる装置であり、このプーリ７２，７２の回転に伴って、無端状の搬送ベルト７３が回転し、搬送ベルト７３上（搬送面上）に載置されるシート状生地Ｚ１を搬送コンベア７１の一端部７１ａ側から他端部７１ｂ側に搬送することが可能となる。また、フィードロール装置６によって引き出されて搬送ベルト７３上に受け渡されるシート状生地Ｚ１に皴が発生しないようにするために、フィードロール装置６の生地引き出し速度は、搬送ベルト７３の回転速度と同期するように構成されている。
【００２６】
このように構成された延反機１は、速度・張力調整装置５及びフィードロール装置６の作動によって、ロール状の原反Ｚからシート状生地Ｚ１を引き出し、傾斜面３１上を摺接させながら傾斜板３の上方側へと導くと共に、シート状生地Ｚ１に対してガス噴射を施し、搬送コンベア７１（延反台７）の搬送ベルト７３上に導く。搬送ベルト上に導かれたシート状生地Ｚ１は、搬送ベルトの回転に伴って、他端部７１ｂ側へと送られる。
【００２７】
上記実施形態に係る延反機１は、引き出されるシート状生地Ｚ１を傾斜面３１上に摺接させながら上方側へと案内する傾斜板３を備えているため、引き出されたシート状生地Ｚ１は、傾斜板３上を垂れ下がった状態となっており、傾斜板３上において、下方側に引き延ばそうとする重力を受けることとなる。また、シート状生地Ｚ１は、傾斜板３上を摺接しながら移動するため、傾斜板３との間で、引き出し方向に沿う方向の摩擦抵抗を受けることとなる。これら重力の作用と摩擦抵抗の作用によって、シート状生地Ｚ１の幅方向に沿う向きに生じる波打ち状の皴や弛み皴等を引き延ばして除去することが可能となる。
【００２８】
また、傾斜板３上のシート状生地Ｚ１に向けてガスを噴射するガス噴射装置４を備えているため、このガス噴射装置４によってシート状生地Ｚ１に吹き付けられたガスは、シート状生地Ｚ１に衝突した後、該シート状生地Ｚ１の表面に沿って両側縁側に流れることとなる。このガスの流れ（風圧）によって、シート状生地Ｚ１は両側縁側（幅方向側）に押し延ばされて、シート状生地Ｚ１の引き出し方向に沿う向きに生じる皴を除去することが可能となる。
【００２９】
また、本実施形態においては、図３の矢印で示すように、シート状生地Ｚ１に衝突したガスが、シート状生地Ｚ１の進行方向（引き出し方向）とは逆向きに流れつつシート状生地Ｚ１の側縁側Ｚ１ａ，Ｚ１ｂに向かって流れるように構成されている。つまり、シート状生地は、フィードロール装置６によって進行方向に引っ張られる力と、進行方向とは逆向きであり、かつ、シート状生地Ｚ１の幅を広げようとするガスの流れ（風圧）による力とを受けることになる。この結果、シート状生地Ｚ１は効果的に引っ張られて、皴がより確実に除去されることとなる。
【００３０】
また、傾斜板３の傾斜面３１は、平滑面となるように構成されているため、ガス噴射装置４から吹き付けられるガスの流れによって押し延ばされるシート状生地Ｚ１を、円滑に両側縁側（幅方向側）に移動させて押し延ばすことが可能となり、シート状生地Ｚ１の引き出し方向に沿う向きに生じる皴をより一層効率良く除去することが可能となる。特に、シート状生地Ｚ１が、例えば、衣服用の編物生地のように、一方面側から他方面側に向けてガスが流通可能な生地であるような場合には、シート状生地Ｚ１に吹き付けられたガスの一部は、シート状生地Ｚ１を通過して、傾斜面３１とシート状生地Ｚ１との対向面間に進入し、シート状生地Ｚ１の両側縁側（幅方向側）に向けて流れることとなり、シート状生地Ｚ１の両側縁側（幅方向側）に向けて流れるガスの流れをシート状生地Ｚ１の両面側に形成されることとなるが、傾斜面３１を平滑面となるように構成することにより、傾斜面３１とシート状生地Ｚ１との対向面間を流れるガスの流れを、渦などの乱れが少ない流れに形成することができる。これにより、シート状生地Ｚ１を両側縁側（幅方向側）に迅速に且つ綺麗に押し延ばして、シート状生地Ｚ１の引き出し方向に沿う向きに生じる皴を除去することが可能となる。
【００３１】
また、本実施形態においては、ガス噴射装置４は、傾斜板３上を摺動するシート状生地に対するガス噴射角度を変更可能に構成されているため、より効果的に皴除去を行うことができるガス噴射方向を選択することが可能となり、皴除去の効率化を図ることができる。
【００３２】
また、本実施形態においては、傾斜板３の上端部近傍のシート状生地Ｚ１に向けてガスを噴射するように各ガス噴射装置４を設置しているため、傾斜板３上において下方側に引き延ばそうとする重力作用等を受けて皴の度合いが緩和されたシート状生地Ｚ１に対してガスを噴射できることとなり、噴射されるガス流量を少なく設定したとしても、皴を効率良く除去することが可能となる。
【００３３】
また、本実施形態においては、ガス噴射装置４を複数備えるように延反機１を構成し、一のガス噴射装置４が、シート状生地Ｚ１の一方の側縁側Ｚ１ａに流れるガスの流れを形成すると共に、他のガス噴射装置４が、前記シート状生地Ｚ１の他方の側縁側Ｚ１ｂに流れるガスの流れを形成するように構成している。このような構成を採用することにより、シート状生地Ｚ１を両側縁側（幅方向側）に効率良く押し延ばすことが可能となり、皴除去を迅速に行うことが可能となる。
【００３４】
以上、本発明に係る延反機１について説明したが、具体的構成は、上記実施形態に限定されない。例えば、ガス噴射装置４が、シート状生地Ｚ１の幅方向に沿って位置変更可能に構成してもよい。具体的には、例えば、傾斜板３の上端部よりも上方の位置において、シート状生地Ｚ１の幅方向に沿って伸びるレール部材を設け、当該レール部材に沿って摺動する固定具にガス噴射装置４を設置する。このようなレール部材にガス噴射装置４を設置することにより、ガス噴射装置４は、シート状生地Ｚ１の幅方向に沿ったスライド移動が可能となり、シート状生地Ｚ１に対するガス噴射位置を適宜変更することができる。この結果、皴が多く発生している箇所に対して集中的にガスを吹き付けて、皴を効率良く除去することが可能となる。また、延反されるシート状生地Ｚ１が変更され、その幅寸法が異なるものとなった場合であっても、皴除去を効果的に行うことができる位置にガス噴射装置４を設置することが可能となる。
【００３５】
また、上記実施形態においては、傾斜板３の上端部３ａ近傍のシート状生地Ｚ１に向けてガスを噴射するように各ガス噴射装置４は設置されているが、このような構成に特に限定されず、例えば、傾斜板３の下端部近傍のシート状生地Ｚ１に向けてガスを噴射するようにガス噴射装置４を設置してもよく、或いは、傾斜板３の高さ方向中央部近傍のシート状生地Ｚ１に向けてガスを噴射するようにガス噴射装置４を設置してもよい。
【００３６】
また、上記実施形態においては、シート状生地Ｚ１の幅方向に沿う方向に２つのガス噴射装置４を並べて配置するように構成しているが、このような構成に特に限定されず、例えば、単一のガス噴射装置４を備えるように構成してもよく、或いは、３つ以上のガス噴射装置４をシート状生地Ｚ１の幅方向に沿う方向に並べて構成してもよい。単一のガス噴射装置４を備える構成であっても、ガスの噴射方向を適宜設定することにより、シート状生地Ｚ１に衝突させたガスが、シート状生地Ｚ１の側縁側に流れるように設定することができるため、シート状生地Ｚ１に生じている皴を押し延ばして除去することが可能となる。また、３つ以上のガス噴射装置４をシート状生地Ｚ１の幅方向に沿う方向に並べて構成した場合、各ガス噴射装置４の設置間隔を適宜調節して、皴が多く発生しているシート状生地Ｚ１の領域に多くのガス流を衝突させることが可能となり、効率良く皴を除去することが可能となる。
【００３７】
また、例えば、図４及び図５に示すように、シート状生地Ｚ１の幅方向に沿う方向に並べて配置される複数のガス噴射装置４を、複数組備えるようにして、各組を傾斜板３の高さ方向の異なる位置においてそれぞれ設置するように構成してもよい。図４及び図５においては、４つのガス噴射装置４を２つずつの２組に分け、各組を構成する一対のガス噴射装置４を、傾斜板３の高さ方向の異なる位置に設置している。なお、各組における一方のガス噴射装置４は、シート状生地Ｚ１に衝突したガスが、シート状生地Ｚ１の一方の側縁側Ｚ１ａに流れるガス流を形成するように設置されており、他のガス噴射装置４は、シート状生地Ｚ１に衝突したガスが、シート状生地Ｚ１の他方の側縁側Ｚ１ｂに流れるガス流を形成するように設置されている。このような構成を採用した場合、シート状生地Ｚ１の一方の側縁側Ｚ１ａ（他方の側縁側Ｚ１ｂ）に流れるガス流を複数形成することが可能となり、複数のガス流間で挟まれるシート状生地Ｚ１の領域を効果的に側縁方向に押し延ばすことができる。その結果、極めて効率良く且つ確実にシート状生地Ｚ１に発生している皴を除去することが可能となる。
【００３８】
また、図６に示すように、フィードロール装置６を構成する一対のローラ６１，６１を挟んだ両側に、ガス噴射装置４ａ，４ｂを更に設け、ローラ６１，６１間を通過する前及び通過した後のシート状生地Ｚ１に向けてガスを吹き付けて、シート状生地Ｚ１を両側縁側（幅方向側）に押し延ばすようにしてもよい。このような構成を採用することにより、ローラ６１，６１によるシート状生地Ｚ１の挟み込みに起因する皴が、シート状生地Ｚ１に発生することを効果的に抑制することができる。なお、一対のローラ６１，６１の一方側に配設されるガス噴射装置４ａの個数は、単数であっても複数であってもよい。同様に、一対のローラ６１，６１の他方側に配設されるガス噴射装置４ｂの個数についても、単数であっても複数であってもよい。
【００３９】
また、上記実施形態において、図７に示すように、傾斜板３と速度・張力調整装置５との間に、更にフィードロール装置を設けるように構成してもよい。以下、傾斜板３と速度・張力調整装置５との間に配置されるフィードロール装置を第２フィードロール装置８と称し、速度・張力調整装置５と延反台７との間に配置されるフィードロール装置６を第１フィードロール装置６と称して説明する。第２フィードロール装置８は、第１フィードロール装置６によって引き出されたシート状生地Ｚ１を引き戻す機能を有するものであり、一対のローラ８１，８１でシート状生地Ｚ１を挟み込み、ローラ８１を回転させることによってシート状生地Ｚ１を傾斜板３側に引き戻すように構成されている。各ローラ８１，８１は、シート状生地Ｚ１を挟持する状態と、挟持しない状態とを変更可能に構成されており、第１フィードロール装置６によってシート状生地Ｚ１が引き出されている際には、各ローラ８１，８１間に隙間を形成してシート状生地Ｚ１を挟み込まないように構成されている。なお、第１フィードロール装置６における各ロール６１，６１も、シート状生地Ｚ１を挟持する状態と、挟持しない状態とを変更可能に構成されており、第２フィードロール装置８によってシート状生地Ｚ１が引き戻されている際には、各ローラ６１，６１間に隙間を形成してシート状生地Ｚ１を挟み込まないように構成されている。
【００４０】
このように構成された延反機１は、シート状生地Ｚ１を延反台７側に引き出すと共に、傾斜板３側に引き戻すことができるため、延反機１の利便性を向上させることが可能となる。例えば、延反台７の搬送ベルト７３上にシート状生地Ｚ１を導いた後、シート状生地Ｚ１の位置決めを行って複数種類の裁断パターンに応じて当該シート状生地Ｚ１を裁断する場合、あるパターンでの裁断が終了した後、裁断済の生地を搬送ベルト７３にて次工程へ搬送し、その後、次に裁断する生地Ｚ１を所定の裁断位置へ生地を戻す場合があるが、このような場合であっても、一旦、搬送ベルト７３上に引き出したシート状生地Ｚ１を皴の無い状態で傾斜板３側に送った後、再度、シート状生地Ｚ１を繰り出して再び位置決めを行うことが可能となり、延反機１の汎用性を高めることができる。
【００４１】
上述のように第２フィードロール装置８を備えるような構成を採用する場合には、図７に示すように、第２フィードロール装置８を構成する一対のローラ８１，８１を挟んだ両側に、ガス噴射装置４ｃ，４ｄを更に設け、ローラ８１，８１間を通過する前及び通過した後のシート状生地Ｚ１に向けてガスを吹き付けて、シート状生地Ｚ１を両側縁側（幅方向側）に押し延ばすようにしてもよい。このような構成を採用することにより、ローラ８１，８１によるシート状生地Ｚ１の挟み込みに起因する皴が、シート状生地Ｚ１に発生することを効果的に抑制することができる。なお、一対のローラ８１，８１の一方側に配設されるガス噴射装置４ｃの個数は、単数であっても複数であってもよい。同様に、一対のローラ８１，８１の他方側に配設されるガス噴射装置４ｄの個数についても、単数であっても複数であってもよい。
【符号の説明】
【００４２】
１  延反機
２  原反保持手段
３  傾斜板
３１  傾斜面
４  ガス噴射装置
４１  噴射ノズル
５  速度・張力調整装置
６  フィードロール装置（第１フィードロール装置）
７  延反台
７１  搬送コンベア
７３  搬送ベルト
８  第２フィードロール装置
Ｚ  ロール状の原反
Ｚ１  シート状生地
【図１】
0005909825.tif 000002
【図２】
0005909825.tif 000003
【図３】
0005909825.tif 000004
【図４】
0005909825.tif 000005
【図５】
0005909825.tif 000006
【図６】
0005909825.tif 000007
【図７】
0005909825.tif 000008
【図８】
0005909825.tif 000009
【図９】
0005909825.tif 000010